(57)【特許請求の範囲】
【請求項１】
表示装置と、
船舶に搭載された複数の機器から、機器の異常を示す警報情報と、船舶の衝突危険性を示す警報情報とを含む、各種の警報情報を取得する警報情報取得部と、
取得された前記警報情報を記憶する記憶部と、
各機器と、複数の送信元カテゴリの何れかと、を対応付けた送信元分類リストを記憶する送信元分類リスト記憶部と、
前記機器が送信し得る各警報情報と、複数段階の重要度の何れかと、を対応付けた重要度リストを記憶する重要度リスト記憶部と、
前記複数の送信元カテゴリ及び前記複数段階の重要度の全部又は一部を表示対象として指定する表示対象指定部と、
前記表示対象指定部によって指定された表示対象に該当する警報情報を、前記記憶部に記憶されている警報情報の中から、前記送信元分類リスト及び前記重要度リストに基づいて選択する情報選択部と、
前記指定された警報情報のみを警報情報のステータスとともにリスト表示した警報情報リスト画面を、前記表示装置に表示させる警報情報表示部と、
を備え、
前記ステータスは未確認、かつ解決済みのステータスを含むことを特徴とする船舶用警報表示装置。
【請求項２】
請求項１に記載の船舶用警報表示装置であって、
前記送信元カテゴリは、少なくとも、航法用電子機器が含まれるカテゴリと、通信機器が含まれるカテゴリとを含むことを特徴とする船舶用警報表示装置。
【請求項３】
請求項１または２に記載の船舶用警報表示装置であって、
前記送信元カテゴリは、航法用電子機器が含まれるカテゴリと、通信機器が含まれるカテゴリと、エンジンルーム関係の機器が含まれるカテゴリとの３種類であることを特徴とする船舶用警報表示装置。
【請求項４】
請求項１から３までの何れか一項に記載の船舶用警報表示装置であって、
前記警報情報表示部は、過去に発生した警報情報からなる警報履歴と、現在発生中の警報情報からなる警報リストとを切り替えるタブを表示画面上に表示するとともに、少なくとも警報履歴を表示する画面選択時に、前記指定された警報情報のみをリスト表示した警報情報リスト画面を、前記表示装置に表示させることを特徴とする船舶用警報表示装置。
【請求項５】
請求項１から４までの何れか一項に記載の船舶用警報表示装置であって、
計器情報をリアルタイムに表示するコニング画面の一部の領域に、所定のソート条件でソートした前記警報情報を、ソート順の上位の警報情報から優先的に表示するコニング情報表示部を備えることを特徴とする船舶用警報表示装置。
【請求項６】
請求項５に記載の警報表示装置であって、
前記コニング情報表示部における前記ソート条件は、警報情報の重要度が高い順及び発生時刻の新しい順であることを特徴とする船舶用警報表示装置。
【請求項７】
請求項１から６までの何れか一項に記載の船舶用警報表示装置であって、
レーダと、
ＥＣＤＩＳと、
を備えることを特徴とする統合航海システム。
【請求項８】
船舶に搭載された複数の機器から、機器の異常を示す警報情報と、船舶の衝突危険性を示す警報情報とを含む、各種の警報情報を取得し、
取得された前記警報情報を記憶し、
各機器と、複数の送信元カテゴリの何れかと、を対応付けた送信元分類リストを記憶し、
前記機器が送信し得る各警報情報と、複数段階の重要度の何れかと、を対応付けた重要度リストを記憶し、
前記複数の送信元カテゴリ及び前記複数段階の重要度の全部又は一部を表示対象として指定し、
前記指定された警報情報を、前記記憶された警報情報の中から、前記送信元分類リスト及び前記重要度リストに基づいて選択し、
前記指定された警報情報のみを警報情報のステータスとともにリスト表示した警報情報リスト画面を表示し、
前記ステータスは未確認、かつ解決済みのステータスを含むことを特徴とする船舶用警報表示方法。
【請求項９】
請求項８に記載の船舶用警報表示方法であって、
前記送信元カテゴリは、少なくとも、航法用電子機器が含まれるカテゴリと、通信機器が含まれるカテゴリとを含むことを特徴とする船舶用警報表示方法。
【請求項１０】
請求項８または９に記載の船舶用警報表示方法であって、
前記送信元カテゴリは、航法用電子機器が含まれるカテゴリと、通信機器が含まれるカテゴリと、エンジンルーム関係の機器が含まれるカテゴリとの３種類であることを特徴とする船舶用警報表示方法。
【請求項１１】
請求項８から１０までの何れか一項に記載の船舶用警報表示方法であって、
過去に発生した警報情報からなる警報履歴と、現在発生中の警報情報からなる警報リストとを切り替えるタブを表示画面上に表示するとともに、少なくとも警報履歴を表示する画面選択時に、前記指定された警報情報のみをリスト表示した警報情報リスト画面を、表示することを特徴とする船舶用警報表示方法。
【請求項１２】
請求項８から１１までの何れか一項に記載の船舶用警報表示方法であって、
計器情報をリアルタイムに表示するコニング画面の一部の領域に、所定のソート条件でソートした前記警報情報を、ソート順の上位の警報情報から優先的に表示することを特徴とする船舶用警報表示方法。
【請求項１３】
請求項１２に記載の船舶用警報表示方法であって、
前記所定のソート条件は、警報情報の重要度が高い順及び発生時刻の新しい順であることを特徴とする船舶用警報表示方法。
【発明の詳細な説明】
【技術分野】
【０００１】
本発明は、主として、船舶等の移動体に搭載された各種機器が出力する警報情報を一括して表示するための警報表示装置に関する。
【背景技術】
【０００２】
船舶等の移動体が備える各種の機器・計器類は、状況に応じて各種の警報情報を出力するように構成されている。近年、この種の警報情報を一括して取り扱う警報装置が利用されている。例えば船舶用の警報装置は、当該船舶のブリッジに設置され、各種機器・計器類からの警報情報が入力されるように構成される。警報装置は、前記機器・計器類から警報情報が入力された場合は、当該警報情報を、視覚的及び聴覚的なシグナルによって船員に通知する。【０００３】
船舶用の警報装置については各種の規格が定められている。例えば非特許文献１及び２に挙げたＩＭＯ（国際海事機関）のＭＳＣ（海上安全委員会）による決議（以下、単に規格と称する）では、発生した警報の重要度（プライオリティー）及びステータスに応じて、警報装置が視覚的及び聴覚的なシグナルによって通知を行う手順が細かく要求されている。現在の船舶用警報装置の多くは、この規格に適合するように構成されている。
【先行技術文献】
【非特許文献】
【０００４】
【非特許文献１】“ＩＭＯ  ＲＥＳＯＬＵＴＩＯＮ  ＭＳＣ．２５２（８３）”、ｐ．２３−３２、［ｏｎｌｉｎｅ］、［２０１２年３月１日検索］、インターネット＜ＵＲＬ：http://www.imo.org/blast/blastDataHelper.asp?data_id=20469&filename=252(83).pdf＞
【非特許文献２】“ＩＭＯ  ＲＥＳＯＬＵＴＩＯＮ  ＭＳＣ．３０２（８７）”、ｐ．６−８、［ｏｎｌｉｎｅ］、［２０１２年３月１日検索］、インターネット＜ＵＲＬ：http://www.imo.org/blast/blastDataHelper.asp?data_id=29324&filename=302(87).pdf＞
【発明の概要】
【発明が解決しようとする課題】
【０００５】
ところが、上記規格では、警報を通知すべき状況が発生した場合に、具体的にどのような手段をもって視覚的な通知を行うべきかまでは規定されていない。従って、例えば液晶ディスプレイなどを用いて警報情報をグラフィカルに表示する警報表示装置においては、前記警報情報の表示態様に工夫の余地がある。【０００６】
特に、警報が一度に大量に発生した場合などは、当該大量の警報情報をそのまま表示したのではユーザにとってわかりにくく、重要な警報情報を見落としてしまうおそれがある。従って、表示する警報情報が大量にある場合であっても、当該警報情報をわかり易く、しかも規格を満足する態様で表示できることが望まれる。ところが、現在知られている船舶用の警報表示装置の多くは、上記規格を満足しているとしても、警報情報をユーザにとってわかり易く表示するという点で十分な検討がなされているとは言い難い。【０００７】
本発明は以上の事情に鑑みてされたものであり、その主要な目的は、警報情報をわかり易く表示できる警報表示装置を提供することにある。
【課題を解決するための手段及び効果】
【０００８】
本発明の解決しようとする課題は以上の如くであり、次にこの課題を解決するための手段とその効果を説明する。
【０００９】
本発明の第１の観点によれば、以下の構成の船舶用警報表示装置が提供される。即ち、この船舶用警報表示装置は、表示装置と、警報情報取得部と、記憶部と、送信元分類リスト記憶部と、重要度リスト記憶部と、表示対象指定部と、情報選択部と、警報情報表示部と、を備える。前記警報情報取得部は、船舶に搭載された複数の機器から、機器の異常を示す警報情報と、船舶の衝突危険性を示す警報情報とを含む、各種の警報情報を取得する。前記記憶部は、取得された前記警報情報を記憶する。前記送信元分類リスト記憶部は、各機器と、複数の送信元カテゴリの何れかと、を対応付けた送信元分類リストを記憶する。前記重要度リスト記憶部は、前記機器が送信し得る各警報情報と、複数段階の重要度の何れかと、を対応付けた重要度リストを記憶する。前記表示対象指定部は、前記複数の送信元カテゴリ及び前記複数段階の重要度の全部又は一部を表示対象として指定する。前記情報選択部は、前記表示対象指定部によって指定された表示対象に該当する警報情報を、前記記憶部に記憶されている警報情報の中から、前記送信元分類リスト及び前記重要度リストに基づいて選択する。前記警報情報表示部は、前記指定された警報情報のみを警報情報のステータスとともにリスト表示した警報情報リスト画面を、前記表示装置に表示させる。さらに、前記ステータスは未確認、かつ解決済みのステータスを含む。
【００１０】
このように、表示対象として指定された警報情報のみを抽出してリスト表示することで、警報情報を見易く表示することができる。
【００１１】
上記の警報表示装置において、前記表示対象指定部は、前記複数の送信元カテゴリ及び前記複数段階の重要度の全部又は一部をユーザが指定するための表示対象指定インタフェースを前記表示装置に表示させることが好ましい。
【００１２】
この表示対象指定インタフェースにより、ユーザが表示対象を簡単に指定できる。
【００１３】
上記の警報表示装置において、前記表示対象指定インタフェースは、前記警報情報リスト画面と同一の画面に表示されることが好ましい。
【００１４】
このように、表示対象指定インタフェースを前記警報情報リスト画面と同一画面に表示することで、表示対象を指定するために画面を切り換える必要がない。
【００１５】
上記の警報表示装置において、前記重要度は３段階であることが好ましい。また、前記送信元カテゴリは、航法用電子機器関係、通信機器関係、及びエンジンルーム関係の３種類であることが好ましい。
【００１６】
即ち、ユーザが表示対象として指定できる項目が多過ぎる場合、当該表示対象を指定するために手間がかかるために、表示対象の切り換え等が困難になる。この点、上記のように、指定できる項目が３項目程度であれば、ユーザは所望の表示対象を容易に指定できる。
【００１７】
上記の警報表示装置において、前記送信元カテゴリ及び前記重要度の一部が表示対象として指定された後、所定時間経過後に、前記送信元カテゴリ及び前記重要度の全てが表示対象として指定された状態に戻す表示復帰部を備えることが好ましい。
【００１８】
これによれば、表示対象から外された警報情報が表示されない状況が長く続くことを防止できるので、ユーザに対して警報情報を確実に提示できる。
【００１９】
上記の警報表示装置においは、前記表示対象指定インタフェースによって表示対象として指定される警報情報の件数を、当該表示対象指定インタフェースの近傍に表示することが好ましい。
【００２０】
これによれば、表示対象指定インタフェースによって表示対象を指定した場合に、警報情報リスト画面にどれだけの警報情報が表示されるかをユーザが予め予測できるので、表示対象を指定する際の目安とすることができる。
【００２１】
上記の警報表示装置は以下のように構成されることが好ましい。即ち、この警報表示装置は、前記警報情報リスト画面に表示された警報情報を確認したことをユーザが入力する確認入力部を備える。前記警報情報表示部は、確認済み、かつ解決済みの警報情報を前記警報情報リスト画面から除去する。
【００２２】
このように、ユーザによって確認済み、かつ解決済みの警報情報は表示しないことで、ユーザに通知する必要がある警報情報のみを警報情報リスト画面に表示できる。これにより、警報情報リスト画面が見易くなり、現在発生している警報をユーザが容易に把握できる。
【００２３】
上記の警報表示装置は、以下のように構成されることが好ましい。即ち、この警報表示装置は、ログ選択部と、ログ表示部とを備える。前記ログ選択部は、確認済み、かつ解決済みの過去の警報情報のうち、指定された表示対象に該当する警報情報を選択する。前記ログ表示部は、前記指定された過去の警報情報のみをリスト表示したログリスト画面を前記表示装置に表示させる。
【００２４】
即ち、過去の警報情報（確認済みかつ解決済みの警報情報）のログは膨大な量になるので、表示対象として指定されたログのみを抽出してリスト表示することにより、当該ログを見易く表示できる。
【００２５】
上記の警報表示装置においては、未確認であるが解決済みの警報情報が複数存在する場合、当該解決済みの複数の警報情報をユーザが一括して確認する一括確認入力部を備えることが好ましい。
【００２６】
このように、警報情報が既に解決済みであれば、ユーザの一回の動作によって一括して「確認済み」にできる。これにより、未確認で解決済みの警報情報が大量に残っていても、これを簡単に警報情報リスト画面から消去できる。
【００２７】
上記の警報表示装置は、ユーザの所定の操作によって警報情報が指定された場合、当該警報情報の解決方法を前記表示装置に表示する解決方法表示部を備えることが好ましい。
【００２８】
このように、警報の解決方法を表示することで、ユーザに対して適切な対処を促すことができる。また、ユーザが指定した警報情報についてのみ解決方法を表示するので、解決方法の表示のためのスペースを最小限とすることができ、警報情報リスト画面のための表示スペースを確保できる。
【００２９】
上記の警報表示装置は、以下のように構成されることが好ましい。即ち、前記警報情報リスト画面において、各警報情報に対応付けて解決方法表示アイコンが表示される。前記解決方法表示部は、前記解決方法表示アイコンがユーザによって操作された場合に、当該アイコンに対応した警報情報の解決方法を表示する。
【００３０】
このように、ユーザは、各警報情報に対応したアイコンを操作するという直感的な操作により、所望の警報情報についての解決方法を簡単に表示させることができる。
【００３１】
上記の警報表示装置において、前記解決方法表示部は、前記警報情報リスト画面と同一画面内であって、かつ前記警報情報が表示される領域とは別の所定領域に前記解決方法を表示することが好ましい。
【００３２】
このように、解決方法を表示するための領域が、警報情報が表示される領域とは別に確保されていることにより、解決方法と警報情報を同時に表示しても両者の閲覧性が損なわれない。また、警報情報と解決方法とを同一画面内に表示するので、画面の切り換えなどを行うことなく解決方法を閲覧できる。
【００３３】
上記の警報表示装置において、前記解決方法表示部は、前記解決方法をポップアップ表示しても良い。
【００３４】
このように、解決方法をポップアップ表示させることにより、必要な場合にのみ解決方法を表示させることができる。
【００３５】
上記の警報表示装置は、以下のように構成されることが好ましい。即ち、この警報表示装置は、前記移動体の推進状態を少なくとも表示するコニング画面を前記表示装置に表示させるコニング情報表示部を備える。そして、前記コニング情報表示部は、前記コニング画面の一部の領域に、固定的に定められた所定のソート条件でソートした前記警報情報を、ソート順の上位の警報情報から優先的に表示する。
【００３６】
このように、本発明の警報表示装置は、コニング情報表示装置としての機能を兼ねることができる。また、コニング画面に警報情報を表示できるスペースは限られているので、警報情報をソートして、ソート順に表示する。これにより、必要な警報情報を、限られたスペースに優先的に表示させることができる。また、コニング画面における警報情報のソート条件を固定としているので、例えば警報情報リスト画面でソート条件が変更されたとしても、コニング画面での警報情報の表示態様には影響を及ぼさない。このように、警報情報リスト画面での表示態様に影響を受けることなく、コニング画面では必要な警報情報を確実に表示できる。
【００３７】
上記の警報表示装置において、前記コニング情報表示部における前記ソート条件は、警報情報の重要度が高い順及び発生時刻の新しい順であることが好ましい。
【００３８】
これにより、コニング画面の限られた領域に、重要度が高くて新しい警報情報を優先的に表示させることができる。
【００３９】
本発明の第２の観点によれば、上記の警報表示装置と、レーダと、ＥＣＤＩＳと、を備えた統合航海システムが提供される。
【００４０】
本発明の第３の観点によれば、以下の船舶用警報表示方法が提供される。即ち、この船舶用警報表示方法は、船舶に搭載された複数の機器から、機器の異常を示す警報情報と、船舶の衝突危険性を示す警報情報とを含む、各種の警報情報を取得し、取得された前記警報情報を記憶し、各機器と、複数の送信元カテゴリの何れかと、を対応付けた送信元分類リストを記憶し、前記機器が送信し得る各警報情報と、複数段階の重要度の何れかと、を対応付けた重要度リストを記憶し、前記複数の送信元カテゴリ及び前記複数段階の重要度の全部又は一部を表示対象として指定し、前記指定された表示対象に該当する警報情報を、前記記憶された警報情報の中から、前記送信元分類リスト及び前記重要度リストに基づいて選択し、前記指定された警報情報のみを警報情報のステータスとともにリスト表示した警報情報リスト画面を表示し、前記ステータスは未確認、かつ解決済みのステータスを含む。
【００４１】
上記の警報表示方法において、前記重要度は３段階であることが好ましい。また、前記送信元カテゴリは、航法用電子機器関係、通信機器関係、及びエンジンルーム関係の３種類であることが好ましい。
【図面の簡単な説明】
【００４２】
【図１】本発明の一実施形態に係る情報表示装置のブロック図。
【図２】警報情報リスト画面の内容を例示する図。
【図３】コニング画面の内容を例示する図。
【図４】警報アイコンの意味を示す図。
【図５】ログリスト画面の内容を例示する図。
【図６】警報情報リスト画面において、警報情報の一部を表示対象として指定した様子を示す図。
【図７】警報一覧画面の内容を例示する図。
【図８】解決方法をポップアップ表示する変形例を示す図。
【発明を実施するための形態】
【００４３】
次に、図面を参照して本発明の実施の形態を説明する。図１は本発明の一実施形態に係る情報表示装置１０の概略的な機能を示すブロック図である。
【００４４】
この情報表示装置１０は、船舶に備えられたＩＮＳ（統合航海システム）１の一部を構成するものであって、船舶に関する様々な情報を表示するための装置である。このＩＮＳ１は、本実施形態の情報表示装置１０の他にも、例えばレーダ１１，１２やＥＣＤＩＳ（電子海図表示システム）１３，１４等を含んでいる。
【００４５】
図１に示すように、情報表示装置１０は、インタフェース部２０と、表示装置２１と、入力装置２２と、制御部２３と、を備えている。
【００４６】
インタフェース部２０には、各種の機器類が接続されており、当該機器類からの情報が入力されるように構成されている。なお、図２では単純化のために各種機器がインタフェース部２０に対して直接的に接続されているように示されているが、例えばハブ等を介して間接的に接続されていても良く、各機器の接続態様は特に限定されない。要は、各機器から出力される情報を、情報表示装置１０が適切に受け取ることができれば良い。
【００４７】
インタフェース部２０に接続される機器類は様々であるが、大きく分類すると、航法用電子機器、通信機器、その他の外部入力機器、の３種類のカテゴリに分類できる。航法用電子機器としては、例えばレーダ１１，１２、ＥＣＤＩＳ１３，１４、ＧＮＳＳ（全地球航法衛星システム）受信器１５、ＡＩＳ（自動船舶識別装置）１６などを挙げることができる。通信機器としては、例えば、インマルサット（登録商標）を利用する通信端末１７、ＶＳＡＴ（超小型地球局）システムを利用する通信端末１８などを挙げることができる。また、上記以外の外部入力機器としては、例えばエンジンの回転数センサ、油温センサなど、エンジンルーム１９に配置されている各種センサを挙げることができる。
【００４８】
表示装置２１は、例えばカラーの液晶ディスプレイであり、グラフィカルな表示が可能に構成されている。
【００４９】
入力装置２２は、ユーザが操作するためのマウスであるが、トラックボールなどの他のポインティングデバイスであっても良い。なお、表示装置２１をタッチパネル式のディスプレイとしても良く、この場合は表示装置が入力装置を兼ねることになる。
【００５０】
制御部２３は、ＣＰＵ、ＲＯＭ、ＲＡＭなどのハードウェアを備えたコンピュータとして構成されている。また、前記ＲＡＭには、情報表示装置１０の各構成を制御するための情報表示プログラムなどのソフトウェアが記憶されている。そして、上記ハードウェアにおいて情報表示プログラムを実行することにより、制御部２３を、警報情報取得部３０、記憶部３１、送信元分類リスト記憶部３２、重要度リスト記憶部３３、表示対象指定部３４、情報選択部３５、警報情報表示部３６、コニング情報表示部３７、解決方法表示部３８、ログ表示部３９、ログ選択部４０、表示復帰部４１等として機能させることができるように構成されている。なお、制御部２３の各機能については追って説明する。
【００５１】
本実施形態の情報表示装置１０は、船舶が備えた各種機器が発する警報情報を表示するための警報表示装置として機能する。また、この情報表示装置１０は、船体の推進状態などを示す計器情報をリアルタイムで表示するためのコニング情報表示装置としての機能も兼ねている。
【００５２】
情報表示装置１０が警報表示装置として機能する場合、当該情報表示装置１０の警報情報表示部３６が画面表示を行う。警報情報表示部３６は、インタフェース部２０に接続された各種機器からの警報情報に基づいて、図２に示すような警報情報リスト画面５０を表示装置２１に表示させる。この警報情報リスト画面５０には、各種機器が発した警報情報が、リスト形式で表示される。ユーザは、この警報情報リスト画面５０で、各警報情報を一覧できる。
【００５３】
一方、情報表示装置１０がコニング情報表示装置として機能する場合、当該情報表示装置１０のコニング情報表示部３７が画面表示を行う。コニング情報表示部３７は、インタフェース部２０に接続された各種機器からの情報に基づいて、図３に示すようなコニング画面５１を表示装置２１に表示させる。このコニング画面５１には、針路や船速など、自船の推進状態を示す各種情報がグラフィカルに表示されている。ユーザは、このコニング画面５１を確認することで、自船の推進状態を的確に把握できる。
【００５４】
警報情報リスト画面５０とコニング画面５１は、ユーザが適宜の操作を行うことで切り換えることができる。例えば本実施形態では、画面の上部に、表示内容切替え用のタブ５２が表示されている。ユーザは、このタブ５２を操作することにより、警報情報リスト画面５０とコニング画面５１を必要に応じて切り換えることができる。
【００５５】
なお、本実施形態のＩＮＳ１は音声報知部９も備えている。音声報知部９は例えばブザーであり、各種の警報が発生した場合に、当該警報の発生を音声によってユーザに通知するためのものである。
【００５６】
次に、図２に示した警報情報リスト画面５０について簡単に説明する。警報情報リスト画面５０にリスト表示されている情報の各行が、１つの警報情報に対応している。警報情報リスト画面５０のリストの各カラムの内容は、左側から順に、警報アイコン５３、警報内容文字列５４、送信元５５、発生時刻５６、確認時刻５７、及び解決方法表示アイコン５８となっている。
【００５７】
警報内容文字列５４のカラムには、各警報の内容を端的に表現する文字列が表示される。ユーザは、この警報内容文字列５４の表示内容を読み取ることで、現在発生している警報の内容を把握できる。
【００５８】
警報内容文字列５４のすぐ左に表示される警報アイコン５３は、それぞれの警報情報の重要度を示している。なお、本明細書においてアイコンとは、特定の機能ないし意味を有する画像ないし図形のことを指す。各警報アイコン５３及びその意味を、図４に例示する。ただし、図に示す警報アイコン５３はあくまで例示であって、これ以外の態様のアイコンを適宜採用できることは言うまでもない。
【００５９】
本実施形態では、警報情報を、重要度が高い方から順に「Ａｌａｒｍ」、「Ｗａｒｎｉｎｇ」、「Ｃａｕｔｉｏｎ」の三段階に分類している。「Ａｌａｒｍ」には、緊急の対応が必要な警報情報が分類されており、本実施形態では三角形の警報アイコンで表示されている。「Ｗａｒｎｉｎｇ」には、現時点では緊急性はないものの、何ら対応をしなければ重大な問題を引き起こす可能性がある警報情報が分類されており、本実施形態では四角形の警報アイコンで表示されている。「Ｃａｕｔｉｏｎ」には、ＡｌａｒｔやＷａｒｎｉｎｇほどではないものの、注意が必要な警報情報が分類されており、本実施形態では円形の警報アイコンで表示されている。
【００６０】
このように、警報情報の重要度をグラフィカルに示す警報アイコン５３を、各警報情報の警報内容文字列５４に隣接させて表示しているので、ユーザは、警報アイコン５３によって各警報情報の重要度を一目で判別できる。
【００６１】
また、警報アイコン５３は、各警報情報のステータスも表示している。ここで、警報情報のステータスとは、各警報情報が「未確認」又は「確認済み」の何れであるかを示すものである。本実施形態では、感嘆符（！）が付されている警報アイコンは「未確認」の警報情報を示し、チェックマークが付された警報アイコンは「確認済み」の警報情報を示している。なお、「未確認」「確認済み」の意味については後述する。
【００６２】
送信元５５のカラムには、各警報情報を出力した機器（異常が発生した機器）の名称が記載されている。ユーザは、各警報情報の送信元５５を読み取ることで、異常が発生した機器を把握できるので、上記異常を解消するために適切な対応をとることができる。
【００６３】
発生時刻５６のカラムには、各警報情報が発生した時刻（つまり、該当する機器で異常が発生した時刻）が記載されている。確認時刻５７のカラムには、各警報情報がユーザによって確認された時刻が記載されている。なお、警報情報のステータスが「未確認」の場合には、確認時刻５７のカラムは空欄となっている。
【００６４】
以上のように、情報表示装置１０は、発生した警報情報を、警報情報リスト画面５０にリスト形式で表示する。リストの各行は１つの警報情報に対応しており、各警報情報は上下に並べて表示される。このように、警報情報をリスト表示することで、１つの画面内で大量の警報情報を閲覧性良く表示できる。もっとも、警報情報が１つの画面内に収まりきらない場合には、警報情報リスト画面５０に表示されたスクロールバー５９をユーザが操作することにより、画面を上下にスクロールさせて、画面内に収まりきらなかった警報情報を表示させることができる。
【００６５】
そして、警報情報リスト画面５０の各行のカラムには、必要な情報が記載されているので、ユーザは、各警報情報の内容を容易に把握できる。また、本実施形態の情報表示装置１０において、警報情報リスト画面５０では、各カラムの内容に応じたソート条件をユーザが指定することにより、警報情報をソートして表示できるように構成されている。例えば、ユーザが所定の操作を行うことにより、警報情報を、重要度順にソートしてリスト表示したり、発生時刻順にソートしてリスト表示したりできる。これにより、ユーザは、警報情報を必要に応じて分かり易く表示できる。
【００６６】
続いて、各機器で異常が発生した場合のＩＮＳ１の動作について簡単に説明する。
【００６７】
各機器において何らかの異常が発生した場合、当該機器は所定の警報情報を出力する。出力された警報情報は情報表示装置１０のインタフェース部２０に入力される。情報表示装置１０に入力された警報情報は、図２に示した警報情報リスト画面５０に、リスト形式で表示される。
【００６８】
また、これと同時に、音声報知部９によって警報音が発せられる。これにより、警報の発生を、視覚的及び聴覚的手段によって報知できる。
【００６９】
警報情報発生した段階では、当該警報情報のステータスは「未確認」となっている。ユーザは、情報表示装置１０の表示、及び音声報知部９による警報音によって異常の発生を知覚した場合、所定の「確認（Ａｃｋｎｏｗｌｅｄｇｅ）」操作を行う。本実施形態では、確認操作は以下のようにして行う。即ち、ユーザは、入力装置２２を操作することにより、警報情報リスト画面５０においてマウスポインタを移動させ、「未確認」の警報情報の行の上にマウスポインタを重ねる。この状態で、ユーザがマウスのボタンをクリック操作することにより、該当する警報情報のステータスが「確認済み」となる。本実施形態の情報表示装置１０においては、ユーザが確認を行うべき警報情報（ステータスが「未確認」の警報情報）は、警報アイコン５３によって容易に識別できる（つまり、警報アイコン５３に感嘆符が付されている警報情報を「確認」すれば良い）。従って、どの警報情報に対して「確認」操作すべきかを、ユーザが迷うことはない。なお、上記のように入力装置２２を操作することにより警報情報の確認操作を行うことができるので、当該入力装置２２は確認入力部であると言うことができる。
【００７０】
警報情報のステータスが「確認済み」になると、警報アイコン５３が変化するとともに、当該確認操作が行われた時刻が確認時刻５７のカラムに記載される。
【００７１】
現在発生している全ての警報情報のステータスが「確認済み」になった場合（ユーザによって全ての警報情報が確認された場合）、音声報知部９による警報音が停止される。
【００７２】
警報情報の確認を行ったユーザは、次に、当該警報の原因となった異常を解決すべく対応を行う。本実施形態では、情報表示装置１０の解決方法表示部３８が、必要に応じて、警報情報の解決方法を表示するように構成されている。
【００７３】
具体的には、図２に示すように、警報情報リスト画面５０と同一画面内に、解決方法表示領域６０が確保されている。ユーザは、入力装置２２を適宜操作することにより、各警報情報の右端のカラムに表示されている解決方法表示アイコン５８をクリック操作できる。ユーザが当該操作を行った場合、解決方法表示部３８は、ユーザが操作を行った解決方法表示アイコン５８に係る警報情報の解決方法を、解決方法表示領域６０に表示する。これによれば、ユーザは、表示された解決方法に従って、適切な対応を行うことができる。
【００７４】
なお、各機器が送信し得る警報情報の種類は決まっているので、各警報情報の解決方法は予め予想できるものである。従って、解決方法表示領域６０に表示させるべき解決方法の内容は、警報情報の種類ごとに、情報表示装置１０に予め記憶させておくことができる。解決方法表示部３８は、ユーザによって解決方法表示アイコン５８が操作された場合、情報表示装置１０に予め記憶されている解決方法の中から、該当する解決方法を選択して解決方法表示領域６０に表示すれば良い。これによれば、適切な解決方法を、ユーザに対して簡単に提示できる。なお、警報情報の種類によっては、その解決方法が情報表示装置１０に記憶されていない場合もありうるので、このような警報情報については解決方法表示アイコン５８を表示しないようになっている。
【００７５】
以上のように、本実施形態においては、ユーザが解決方法表示アイコン５８を操作することで指定した警報情報についてのみ、解決方法が表示される。即ち、解決方法の表示をユーザが必要としていない警報情報については、解決方法を表示しない。このように、不要な解決方法は表示しないので、解決方法を表示するための解決方法表示領域６０を小さくでき、警報情報を表示するための領域を大きく確保できる。また本実施形態では、図２に示すように、解決方法表示領域６０は、警報情報リスト画面５０と同一画面内であって、しかも警報情報が表示されている領域とは別の領域に設定されている。従って、解決方法を表示させたとしても、警報情報の表示を邪魔しないので、警報情報の閲覧性が損なわれることはない。しかも、解決方法と警報情報が同一画面内に表示されるので、例えば解決方法を閲覧するために画面を切り換えるなどの煩雑な操作が不要であり、全ての情報を１つの画面で確認できる。
【００７６】
ユーザが適切な対応を行うことにより、警報の原因が除去された場合（機器の異常が解消した場合）、該当する警報情報は「解決済み」となる。なお、原因が除去されていない警報情報のことを「未解決」の警報情報と呼ぶ。
【００７７】
本実施形態の情報表示装置１０において、警報情報表示部３６は、「確認済み」かつ「解決済み」の警報情報は、警報情報リスト画面５０から削除するように構成されている。即ち、これらの警報情報は、もはやユーザに対して提示する必要が無い情報であるから、表示しなくても問題はないのである。これにより、ユーザに対して提示する必要がある情報（未確認、又は未解決の警報情報）のみを警報情報リスト画面５０に表示できるので、ユーザは、必要な情報を的確に把握でき、機器の異常に対して適切に対応できる。
【００７８】
なお、重要度が「Ｃａｕｔｉｏｎ」に分類されている警報情報は、ユーザに対して注意を促すことを目的として表示される警報情報であるため、ユーザによる対応は特に必要が無い。そこで、「Ｃａｕｔｉｏｎ」に分類されている警報情報は、ユーザが「確認」操作を行った段階で、警報情報リスト画面５０から削除されるようになっている。
【００７９】
ところで、「Ａｌａｒｍ」又は「Ｗａｒｎｉｎｇ」に分類されている警報情報であっても、ユーザによる特別な対応を必要とせずに「解決済み」となる場合がある。例えば、他船が自船に対して異常に近づいた場合は、「ＣＰＡ／ＴＣＰＡ」という警報情報が発せられるが、この警報情報は、当該他船と自船との距離が十分に広がった場合は、ユーザが特に対処しなくても自然と「解決済み」になる（なお、ＣＰＡとは最接近距離、ＴＣＰＡとは最接近までの時間のことである）。このため、ユーザが「確認」操作を行うよりも前に、警報情報が「解決済み」になる場合がある。なお本実施形態では、このように「未確認であるが解決済み」の警報情報は、疑問符（？）を付した警報アイコン５３で表示している。
【００８０】
例えば船舶が密集する港内では、他船が自船に接近することは珍しくない。従って、港内では、上記の「ＣＰＡ／ＴＣＰＡ」警報が頻発することになる。しかも、自船が港内を航行している間は他船と次々にすれ違うので、発生した「ＣＰＡ／ＴＣＰＡ」警報情報は次々と「解決済み」になっていく。しかし、他船とすれ違うたびに発生する「ＣＰＡ／ＴＣＰＡ」警報情報を毎回「確認」操作するような煩雑なことは、ユーザは行わないと考えられる。この結果、「未確認であるが解決済み」の警報情報が、警報情報リスト画面５０に大量に蓄積することになる。
【００８１】
このような「未確認であるが解決済み」の警報情報は、もはやユーザに対して何らかの注意を促す意味を持たないにもかかわらず、ユーザによる「確認」操作が行われるまでは警報情報リスト画面５０に残ってしまう。そこで本実施形態の情報表示装置１０は、警報情報リスト画面５０と同一の画面内に、「一括確認ボタン（一括確認入力部）６１」を有している。そして、ユーザがこの一括確認ボタン６１を操作した場合、「未確認であるが解決済み」の警報情報が複数存在する場合であっても、当該複数の警報情報のステータスが一括して「確認済み」に変更されるようになっている。これによれば、ユーザは、一括確認ボタン６１を操作するだけで、「未確認であるが解決済み」の警報情報を一括して「確認済み、かつ解決済み」にできるので、当該警報情報を一括して警報情報リスト画面５０から除去できる。
【００８２】
これにより、ユーザに対して提示する意味がなくなった警報情報を警報情報リスト画面５０からまとめて除去し、意味がある警報情報のみを警報情報リスト画面５０に残すことができるので、警報情報を見易く表示できる。また、例えば船舶が密集する港内で「未確認であるが解決済み」の警報情報が大量に発生した場合であっても、当該大量の警報情報を１つ１つ「確認」するというような煩雑な操作が不要となるので、ユーザは操船やその他の作業に集中できる。
【００８３】
なお、上記の一括確認ボタン６１を操作することによりステータスが「確認済み」に変更されるのは、「未確認であるが解決済み」の警報情報のみである。従って、未解決の「Ａｌａｒｍ」及び未解決の「Ｗａｒｎｉｎｇ」の警報情報は、一括確認ボタン６１がユーザによって操作されたとしてもステータスは変更されない。「未解決」の警報情報は、ユーザによる対応が必要な警報情報であるから、ユーザによって明示的に「確認」操作させることが好ましいためである。また、「Ｃａｕｔｉｏｎ」に分類されている警報情報は、ユーザに対して注意を促すことのみを目的とした警報情報であるから、そもそも「未解決」「解決済み」という概念が無い。従って、一括確認ボタン６１がユーザによって操作されたとしても、「Ｃａｕｔｉｏｎ」に分類されている警報情報のステータスは変更されず、警報情報リスト画面５０に残る。「Ｃａｕｔｉｏｎ」に分類されている警報情報は、ユーザに対して注意を促すためのものであるから、ユーザが明示的に「確認」操作しないまま警報情報リスト画面５０から除去されてしまうのは望ましくないためである。
【００８４】
ところで前述のように、本実施形態の情報表示装置１０は、コニング情報表示装置としても利用できる。コニング画面５１と警報情報リスト画面５０は同時に表示できないので、ユーザは何れか一方を選択して表示装置２１に表示させる。しかし、表示装置２１にコニング画面５１を表示している場合、警報情報リスト画面５０に切り換えなければ警報情報を閲覧できないようでは、ユーザは、現在発生している警報情報を速やかに把握できない。
【００８５】
そこで本実施形態の情報表示装置１０のコニング情報表示部３７は、図３に示すように、コニング画面５１の一部に確保された警報表示領域６２に、警報情報を表示できるように構成されている。このように、コニング画面５１においても警報情報を表示できるようにしたことで、ユーザは、コニング画面５１のままで（警報情報リスト画面５０に切り換えなくても）警報情報を見ることができる。
【００８６】
ただし、コニング画面５１は、船体の推進状況など計器情報を主に表示するためのものであるから、警報表示領域６２としては限られたスペースしか割り当てることができない。従って、コニング画面５１には、警報情報リスト画面５０に含まれる情報を全て表示することはできない。そこで本実施形態のコニング情報表示部３７は、コニング画面５１の警報表示領域６２に、警報情報リスト画面５０に表示される情報のうち一部の情報みを表示するよう構成されている。具体的には、図３に示すように、コニング画面５１の警報表示領域６２には、各警報情報について警報アイコン５３及び警報内容文字列５４のみを表示する。即ち、警報アイコン５３によって各警報情報の重要度及びステータスを把握でき、警報内容文字列５４によって各警報情報の内容を把握できるので、この２つの情報のみでも、ユーザに対して警報情報を提示するという目的を十分に果たすことができる。
【００８７】
また、本実施形態の情報表示装置１０では、コニング画面５１の警報表示領域６２には、重要度が高い順及び発生時刻が新しい順でソートした警報情報を、ソート順で、表示できるだけ表示するように構成されている。言い替えると、コニング画面５１の警報表示領域６２には、重要度が高くて新しい警報情報が、優先的に表示される。これによれば、ユーザは、重要な警報情報をコニング画面５１において確実に閲覧できる。以上のように、本実施形態の構成によれば、コニング画面５１においてスペースが限られている警報表示領域６２を利用して、重要な警報情報をユーザに対して有効に提示できる。もっとも本実施形態の情報表示装置１０では、コニング画面５１の警報表示領域６２にはスクロールバー６３が設けられているので、当該スクロールバー６３をユーザが操作することにより、重要度が低い（又は発生時刻が古い）警報情報も閲覧できるようになっている。
【００８８】
なお前述のように、本実施形態の情報表示装置１０は、警報情報リスト画面５０でユーザがソート条件を指定することにより、警報情報をソートして表示できるようになっている。これに対し、コニング画面５１の警報表示領域６２では、警報情報のソート条件は固定されており、ユーザによってソート条件を変更することはできないようになっている。つまり、コニング画面５１の警報表示領域６２では、常に、重要度が高くて新しい警報情報を優先的に表示するように構成されている。
【００８９】
これによれば、コニング画面５１の限られたスペースの警報表示領域６２に、重要度が高くて新しい警報情報を確実に提示できるので、当該警報情報をユーザが見落としてしまうことを防止できる。これに対して、警報情報リスト画面５０では、警報情報をユーザに対して見易く提示することに主眼が置かれているので、ユーザの好みに応じてソート条件などを変更可能とし、柔軟に表示態様を設定できるようにしているのである。このように、警報情報を表示するための専用の画面（警報情報リスト画面５０）では、必要に応じた表示態様で情報を閲覧できるので、ユーザは、警報情報の確認や、当該警報情報の解決を、効率的に行うことができる。
【００９０】
なお、上記のように、コニング画面５１の警報表示領域６２ではソート条件が固定されているので、警報情報リスト画面５０においてソート条件等が変更されて警報情報の表示態様が変化したとしても、コニング画面５１の警報表示領域６２における警報情報の表示態様には影響を及ぼさないようになっている。例えば、警報情報リスト画面５０において、仮に重要度が「低い」順に警報情報をソートするようにソート条件が設定された場合であっても、コニング画面５１の警報表示領域６２では、常に、重要度が「高い」順で警報情報がソートされて表示される。
【００９１】
次に、図５に示したログリスト画面６４について簡単に説明する。前述のように、本実施形態の情報表示装置１０は、不要になった警報情報（確認済みかつ解決済みの警報情報）を警報情報リスト画面５０から除去するように構成されている。しかし、場合によっては、警報情報リスト画面５０から除去された過去の警報情報（確認済みかつ解決済みの警報情報）を閲覧したい場合がある。そこで本実施形態の情報表示装置１０は、過去の警報情報のログを表示できるように構成されている。
【００９２】
即ち、情報表示装置１０のログ表示部３９は、過去の警報情報（確認済み、かつ解決済みの警報情報）をリスト表示したログリスト画面６４（図５）を、表示装置２１に表示させるように構成されている。ログリスト画面６４への切り換えは、画面上部に表示されたタブ５２をユーザが操作することにより行うことができる。これにより、過去の警報情報を、ユーザが簡単に閲覧できる。
【００９３】
続いて、本実施形態の情報表示装置１０について、より詳しく説明する。
【００９４】
前述のように、本実施形態の情報表示装置１０は、必要な警報情報のみをリスト表示するので、ユーザに対して警報情報を見易く提示できる。ところが、警報情報が一度に大量に発生した場合、「未解決」の警報情報が警報情報リスト画面５０に大量に存在する状態となるため、警報情報が見難くなる。とはいえ、「未解決」の警報情報は、まさにユーザに対して提示する必要がある情報であるから、「解決済み」の警報情報のように警報情報リスト画面５０から除去することはできない。従って、上記の構成のみでは、警報情報をユーザに対して見易く提示するという目的を十分に達成できない。
【００９５】
そこで、本実施形態の情報表示装置１０は、ユーザの操作により、警報情報リスト画面５０に表示する警報情報をフィルタリングできるように構成されている。具体的には、情報表示装置１０の表示対象指定部３４は、警報情報リスト画面５０に表示させる警報情報（以下、単に表示対象と称する）を指定するための表示対象指定チェックボックス群（表示対象指定インタフェース）６５を、警報情報リスト画面５０と同一の画面内に、警報情報と同時に表示する（図２）。ユーザは、入力装置２２を操作することにより、表示対象指定チェックボックス群６５に含まれる各チェックボックスのチェックを入れる、又はチェックを外す操作を行うことができる。
【００９６】
図２に示すように、本実施形態において表示対象指定チェックボックス群６５は、重要度が「Ａｌａｒｍ」の警報情報を表示対象として指定するＡｌａｒｍチェックボックス６６、重要度が「Ｗａｒｎｉｎｇ」の警報情報を表示対象として指定するＷａｒｎｉｎｇチェックボックス６７、及び重要度が「Ｃａｕｔｉｏｎ」の警報情報を表示対象として指定するＣａｕｔｉｏｎチェックボックス６８を含んでいる。また、表示対象指定チェックボックス群６５は、送信元の機器のカテゴリが「航法用電子機器」の警報情報を表示対象として指定するＮａｖｉｇａｔｉｏｎチェックボックス６９、送信元の機器のカテゴリが「通信機器」の警報情報を表示対象として指定するＣｏｍｍｕｎｉｃａｔｉｏｎチェックボックス７０、及び、送信元の機器のカテゴリが「外部入力機器」の警報情報を表示対象として指定するＥｘｔｅｒｎａｌチェックボックス７１を備えている。
【００９７】
情報表示装置１０の警報情報表示部３６は、表示対象指定チェックボックス群６５で表示対象として指定された警報情報（チェックボックスにチェックが入れられた条件に該当する警報情報）のみを、警報情報リスト画面５０に表示するように構成されている。即ち、ユーザが表示対象として指定しなかった警報情報（チェックボックスからチェックが外された条件に該当する警報情報）は、フィルタリングされ、警報情報リスト画面５０に表示されなくなる。
【００９８】
ユーザは、例えば図６に示すように、Ａｌａｒｍチェックボックス６６及びＮａｖｉｇａｔｉｏｎチェックボックス６９にチェックを入れ、他のチェックボックス６７，６８，７０，７１からチェックを外すことにより、「航法用電子機器関係のＡｌａｒｍのみを表示させる」ように表示対象を指定できる。またこの他にも、例えば「通信機器関係と外部接続機器関係のＷａｒｎｉｎｇのみを表示させる」というように、柔軟な設定ができる。このように、警報情報が大量に存在する場合であっても、表示する警報情報をユーザの指定に応じてフィルタリングすることにより、ユーザが必要とする警報情報のみを警報情報リスト画面５０に表示できる。従って、ユーザは、必要に応じて表示対象を指定することにより、警報情報リスト画面５０の警報情報をわかり易く閲覧できる。
【００９９】
なお、ユーザによって表示対象から外された（チェックボックスを外された）警報情報は、単にフィルタリングによって表示されなくなっただけであるから、ユーザによってチェックボックスに再びチェックが入れられた場合（表示対象として指定された場合）、該当する警報情報は、再び警報情報リスト画面５０に表示される。
【０１００】
続いて、情報表示装置１０において上記のフィルタリングを行ための構成について、より詳しく説明する。
【０１０１】
前述のように、警報情報の重要度は、重要度が高い方から順に「Ａｌａｒｍ」、「Ｗａｒｎｉｎｇ」、「Ｃａｕｔｉｏｎ」の３段階となっている。そこで、本実施形態の表示対象指定チェックボックス群６５は、表示対象の重要度を指定する３つのチェックボックス６６〜６８を備えている。これにより、ユーザは、３段階の重要度の全部又は一部を表示対象として指定できる。
【０１０２】
なお、各機器は様々な警報情報を出力するので、各警報情報の重要度がどの程度であるかは、必ずしも明確ではない。しかし、各機器が出力し得る警報情報の種類は予め決まっているので、各機器が出力し得る警報情報それぞれに対して、３段階の重要度の何れかを予め設定しておくことができる。そこで、情報表示装置１０の重要度リスト記憶部３３は、各機器が送信し得る各警報情報と、３段階の重要度の何れかと、を対応付けた重要度リストを記憶している。なお、重要度リストの内容は、情報表示装置１０の工場出荷時にプリセットされている（重要度リスト記憶工程）。
【０１０３】
本実施形態の情報表示装置１０は、図７に示す警報一覧画面７２において、重要度リストの内容をユーザが確認できるようになっている。具体的には、警報一覧画面７２には、重要度「Ａｌａｒｍ」に対応付けられた警報情報をリストアップしたＡｌａｒｍ警報情報リスト７３と、重要度「Ｗａｒｎｉｎｇ」に対応付けられた警報情報をリストアップしたＷａｒｎｉｎｇ警報情報リスト７４と、重要度「Ｃａｕｔｉｏｎ」に対応付けられた警報情報をリストアップしたＣａｕｔｉｏｎ警報情報リスト７５が表示されている。なお、警報一覧画面７２への切り換えは、画面上部に表示されたタブ５２をユーザが操作することにより行うことができる。
【０１０４】
前述のように、警報リスト７３，７４，７５の内容はプリセットされているので、ユーザが設定する必要はない。しかし、ユーザは、必要に応じて適宜の操作を行うことにより、警報リスト７３，７４，７５の登録内容を変更できる。これにより、各警報情報に対してユーザが重要度を設定できるので、ユーザは、自身の好みに応じて、警報情報の表示態様を柔軟にカスタマイズできる。
【０１０５】
また、前述のように、情報表示装置１０のインタフェース部２０に接続される機器は、航法用電子機器、通信機器、その他の外部入力機器、の３種類に分類できる。従って、情報表示装置１０で表示される警報情報の送信元は、上記３種類のカテゴリ（送信元カテゴリ）の何れかに分類できる。そこで、本実施形態の表示対象指定チェックボックス群６５は、表示対象の送信元カテゴリを指定する３つのチェックボックス６９〜７１を備えている。これにより、ユーザは、３種類に分類された送信元カテゴリの全部又は一部を表示対象として指定できる。
【０１０６】
なお、インタフェース部２０に接続され得る機器は様々なものがあるので、各機器を何れの送信元カテゴリに分類すべきかは、必ずしも明確ではない。そこで、情報表示装置１０の送信元分類リスト記憶部３２は、各機器と、３種類の送信元カテゴリの何れかと、を対応付けた送信元分類リストを記憶している。
【０１０７】
本実施形態の情報表示装置１０は、前述の警報一覧画面７２において、送信元分類リストの内容をユーザが確認できるようになっている。具体的には、警報一覧画面７２には、「航法用電子機器」カテゴリに対応付けられた機器をリストアップしたＮａｖｉｇａｔｉｏｎ分類リスト７８と、「通信機器」カテゴリに対応付けられた機器をリストアップしたＣｏｍｍｕｎｉｃａｔｉｏｎ分類リスト７９と、「外部入力機器」カテゴリに対応付けられた機器をリストアップしたＥｘｔｅｒｎａｌ分類リスト８０が表示されている。なお、本実施形態では、「外部入力機器」のカテゴリに該当するのはエンジンルームのセンサのみであるため、「外部入力機器」カテゴリは、実質的に「エンジンルーム関係」のカテゴリであるとも言える。
【０１０８】
送信元分類リスト７８，７９，８０の内容は、ユーザによって設定することができる。情報表示装置１０のインタフェース部２０に新しい機器が接続された場合、ユーザは、警報一覧画面７２で適宜の操作を行うことにより、送信元分類リスト７８，７９，８０の何れかに、前記新しい機器を登録する（送信元分類リスト記憶工程）。これによれば、新しい機器が追加された場合であっても、当該機器を適切な送信元カテゴリに分類しておくことができる。もっとも、新しい機器が追加された場合に、制御部２３が当該機器のカテゴリを自動的に認識して送信元分類リスト７８，７９，８０の何れかに登録する構成であっても良い。
【０１０９】
次に、警報情報を表示する際の情報表示装置１０の動作について詳しく説明する。
【０１１０】
情報表示装置１０のインタフェース部２０に接続されている機器で何らかの異常が発生した場合、当該機器は、所定の警報情報を出力する。当該警報情報は、情報表示装置１０のインタフェース部２０に入力され、当該情報表示装置１０の警報情報取得部３０で取得される（警報情報取得工程）。情報表示装置１０の記憶部３１は、警報情報取得部３０で取得した警報情報を記憶する（記憶工程）。
【０１１１】
ユーザは、入力装置２２を適宜操作して、表示対象指定チェックボックス群６５によって表示対象を指定する操作を行う（表示対象指定工程）。前述のように、表示対象指定チェックボックス群６５は、３種類の送信元カテゴリを指定するチェックボックス６９〜７１と、３段階の重要度を指定するチェックボックス６６〜６８を備えている。従って、ユーザは、３種類の送信元カテゴリ、及び３段階の重要度の中から、表示対象を指定できる。
【０１１２】
ユーザによって表示対象が指定されると、情報表示装置１０の情報選択部３５は、ユーザによって表示対象として指定された重要度及び送信元カテゴリに該当する警報情報を、記憶部３１の記憶内容から抽出する（情報選択工程）。このとき、情報選択部３５は、重要度リスト記憶部３３に記憶されている重要度リストを参照することにより、記憶部３１に記憶されている各警報情報の重要度を特定する。また、情報選択部３５は、送信元分類リスト記憶部３２に記憶されている送信元分類リストを参照することにより、記憶部３１に記憶されている各警報情報の送信元の機器のカテゴリ（送信元カテゴリ）を特定する。そして、情報選択部３５は、特定された情報に基づいて、指定された表示対象に該当する警報情報を抽出する。
【０１１３】
このように、本実施形態の情報表示装置１０では、重要度リスト及び送信元分類リストが予め記憶されているので、記憶部３１に記憶されている各警報情報の重要度及び送信元カテゴリを、簡単に特定できる。従って、ユーザによって指定された重要度及び送信元カテゴリに該当する警報情報を抽出する、という情報選択部３５による処理を容易に行うことができる。
【０１１４】
そして、情報表示装置１０の警報情報表示部３６は、情報選択部３５によって抽出された警報情報を、警報情報リスト画面５０にリスト表示する（警報情報表示工程）。以上で説明した方法により、ユーザが表示対象として指定した警報情報のみを、警報情報リスト画面５０に表示できる。
【０１１５】
なお、重要度や送信元カテゴリを、より細かく（例えば１０段階）分類するように構成することも考えられる。しかし、この場合、表示対象を指定するためのチェックボックスが多数必要となるので、ユーザはチェックボックスのチェックを付けたり外したりするのも一苦労であり、所望の表示結果を得るためにかえって手間がかかってしまう。この点、本実施形態の情報表示装置１０では、重要度と送信元カテゴリはそれぞれ３種類にまとめられているので、ユーザが指定できる表示対象は６種類であり、チェックボックスの数は６つとなっている。この程度の数のチェックボックスであれば、ユーザは所望の表示対象をすぐに指定できるうえ、直感的でわかり易い。従って、ユーザは、所望の表示結果を簡単に得ることができる。
【０１１６】
また本実施形態の情報表示装置１０においては、図２に示すように、各チェックボックス６６〜７１の近傍に、当該チェックボックスで表示対象として指定できる警報情報の件数を表示するように構成されている。例えば図２の例では、重要度が「Ａｌａｒｍ」に該当する警報情報は４件であることが、Ａｌａｒｍチェックボックス６６のラベルに表示されている。また例えば、送信元のカテゴリが「航法用電子機器」に分類される警報情報は１０件であることが、Ｎａｖｉｇａｔｉｏｎチェックボックス６９のラベルに表示されている。ユーザは、この件数表示を確認することにより、各チェックボックスにチェックを入れたとき（表示対象として指定したとき）に警報情報リスト画面５０に表示される警報情報の件数を予想できる。従ってユーザは、上記の件数表示を目安として、表示対象を指定できる。
【０１１７】
本実施形態の情報表示装置１０では、図５に示すように、ログリスト画面６４でも、上記のフィルタリングを行うことができるように構成されている。即ち、ログリスト画面６４にも、表示対象指定チェックボックス群６５が表示されており、警報情報リスト画面５０（図２）と同様に表示対象を指定できるようになっている。ログリスト画面６４の表示対象指定チェックボックス群６５でユーザが表示対象を指定した場合、情報表示装置１０のログ選択部４０は、過去の警報情報（確認済み、かつ解決済みの警報情報）のなかから、指定された表示対象に該当する警報情報を抽出する。そして、前記ログ表示部３９は、ログ選択部４０によって抽出された警報情報のみを、ログリスト画面６４に表示するように構成されている。このように、ログリスト画面６４においても、ユーザの指定に応じて、過去の警報情報をフィルタリングできるようになっている。
【０１１８】
即ち、過去の警報情報（解決済みの警報情報）は、航海が進むにつれて蓄積していくので、ログリスト画面６４に表示される過去の警報情報の件数は膨大になる。そこで、表示される情報をフィルタリングして、必要な情報のみを抽出して表示することにより、ログリスト画面６４の閲覧性を大幅に高めることができる。
【０１１９】
ところで、警報情報リスト画面５０において、ユーザがチェックボックス６６〜７１の何れかからチェックを外した場合（表示対象から外された場合）、当該チェックボックスの条件に該当する警報情報はフィルタリングされ、それ以降、警報情報リスト画面５０に表示されなくなる。しかし、警報表示装置としての本来の目的を鑑みれば、例えそれがユーザの望んだ動作であるとしても、警報情報が表示されない状況が長期間続くことは好ましいとは言えない。
【０１２０】
そこで本実施形態の情報表示装置１０の表示復帰部４１は、所定条件を満たしたときに、警報情報リスト画面５０において、３種類の送信元カテゴリ及び３段階の重要度の全てが表示対象として指定された状態に戻すように構成されている。即ち、ユーザによってチェックボックスが外されている場合であっても、所定の条件が満たされると、警報情報リスト画面５０の６つのチェックボックス６６〜７１の全てにチェックが入れられた状態に、強制的に戻されるようになっている。これにより、ユーザの設定により表示対象から外されていた警報情報も、所定条件が満たされた場合は、警報情報リスト画面５０に再び表示されるようになる。
【０１２１】
本実施形態では、上記所定条件を「前記送信元カテゴリ及び前記重要度の一部が表示対象として指定された後、所定時間経過したとき」としている。即ち、ユーザがチェックボックスのチェックを外す操作を行った場合であっても、当該操作から所定時間経過後には全てのチェックボックスがチェックされた状態に戻る。これにより、表示されない警報情報が存在する状態が長期間に及ぶことを防止し、ユーザに対して確実に警報情報を提示できる。
【０１２２】
続いて、上記フィルタリングと、前述の一括確認ボタン６１の関係について説明する。本実施形態の情報表示装置１０では、上記フィルタリングによって警報表示リスト画面５０に表示されなくなった警報情報（表示対象から外された警報情報）は、一括確認ボタン６１がユーザによって操作された場合でも、ステータスが変更されないようになっている。つまり、一括確認ボタン６１によって警報情報リスト画面５０から一括して除去できるのは、「未確認であるが解決済み」の警報情報のうち、警報情報リスト画面５０に表示されている警報情報（表示対象として指定されている警報情報）のみである。警報情報リスト画面５０に表示されていない警報情報は、未だにユーザが把握していない可能性があるので、ステータスを勝手に「確認済み」に変更することは好ましくないためである。
【０１２３】
なお、これを利用すれば、ユーザは、一括確認ボタン６１によって警報情報リスト画面５０から除去する警報情報の範囲をコントロールできる。例えば、ユーザは、優先度が「Ｗａｒｎｉｎｇ」の警報情報のみを一括除去し、「Ａｌｅｒｍ」の警報情報は残しておきたいと考えた場合、優先度が「Ａｌａｒｍ」の警報情報をいったん表示対象から外し、「Ｗａｒｎｉｎｇ」の警報情報のみを表示対象に指定した状態で一括確認ボタン６１を操作する。これにより、「未確認であるが解決済み」の警報情報のうち、優先度が「Ｗａｒｎｉｎｇ」の警報情報のみ、ステータスを「確認済み」にして警報情報リスト画面５０から一括して除去できる。一方、「未確認であるが解決済み」の「Ａｌａｒｍ」の警報情報のステータは変更されないので、優先度「Ａｌａｒｍ」を表示対象として再度指定することで、当該警報情報を警報情報リスト画面５０に再び表示できる。このように、表示対象を指定したうえで一括確認ボタン６１を操作することにより、指定された表示対象に該当しかつ「未確認であるが解決済み」の警報情報のみを、警報情報リスト画面５０から一括して除去できる。
【０１２４】
以上で説明したように、本実施形態の情報表示装置１０は、表示装置２１と、警報情報取得部３０と、記憶部３１と、送信元分類リスト記憶部３２と、重要度リスト記憶部３３と、表示対象指定部３４と、情報選択部３５と、警報情報表示部３６と、を備えている。警報情報取得部３０は、船舶に搭載された複数の機器からの警報情報を取得する。記憶部３１は、取得された警報情報を記憶する。送信元分類リスト記憶部３２は、各機器と、３種類の送信元カテゴリの何れかと、を対応付けた送信元分類リストを記憶する。重要度リスト記憶部３３は、前記機器が送信し得る各警報情報と、３段階の重要度の何れかと、を対応付けた重要度リストを記憶する。表示対象指定部３４は、３種類の送信元カテゴリ及び３段階の重要度の全部又は一部を表示対象として指定する。情報選択部３５は、表示対象指定部３４によって指定された表示対象に該当する警報情報を、記憶部３１に記憶されている警報情報の中から、送信元分類リスト及び重要度リストに基づいて選択する。警報情報表示部３６は、指定された警報情報のみをリスト表示した警報情報リスト画面５０を、表示装置２１に表示させる。
【０１２５】
このように、表示対象として指定された警報情報のみを抽出してリスト表示することで、警報情報を見易く表示することができる。
【０１２６】
以上に本発明の好適な実施の形態を説明したが、上記の構成は例えば以下のように変更することができる。
【０１２７】
上記実施形態では、チェックボックスのチェックが外される操作が行われてから所定時間経過したことを条件として、全てのチェックボックスにチェックが入れられた状態に戻すとしたが、チェックボックスのチェックを戻す条件はこれに限らない。例えば、警報情報取得部３０によって新しい警報情報が取得されたことを条件として、全てのチェックボックスにチェックが入れられた状態に戻しても良い。これによれば、新しい警報情報が取得されたときに、６つのチェックボックス６６〜７１の全てにチェックが入れられた状態となるので、新しく取得された警報情報は警報情報リスト画面５０に確実に表示される。
【０１２８】
表示対象指定インタフェースは、上記実施形態のようにチェックボックスでなくても良く、適宜のインタフェースを採用できる。例えば、プルダウン式のメニューで表示対象を指定するように構成しても良い。もっとも、表示対象を指定する手段は表示装置２１に表示されるグラフィカルインタフェースに限らず、例えば物理的なボタンをユーザが操作することで表示対象を指定できるように構成されていても良い。
【０１２９】
表示対象指定インタフェースは、警報情報リスト画面５０と同一画面において警報情報と同時に表示されている必要はなく、例えば、警報情報リスト画面５０とは別のオプション設定画面で表示対象を指定できるように構成しても良い。ただし、図２に示すように、警報情報リスト画面５０と同一の画面内で警報情報と同時に表示対象指定インタフェース（チェックボックス）が表示されていれば、画面を切り換えることなく表示対象を指定できるので好適である。もっとも、警報情報と表示対象指定インタフェースは、必ずしも同一の画面に表示されなくても良い。例えば、情報表示装置に複数の表示装置を備え（いわゆるマルチディスプレイ）、１つの表示装置には警報情報リスト画面５０を表示し、これと同時に、他の表示装置に表示対象指定インタフェース（チェックボックス）を表示するように構成しても良い。この場合も、画面を切り換えることなく表示対象を指定できるので好適である。
【０１３０】
上記実施形態では、警報情報リスト画面５０と同一の画面内に、解決方法を表示するための解決方法表示領域６０が確保されているとしたが、解決方法の表示態様はこれに限らない。例えば、図８に示すように、警報情報リスト画面５０に表示された警報情報の上にマウスカーソル７６が重ねられたときに、当該警報情報の解決方法をポップアップ表示７７するように構成しても良い。この構成の場合、図２のように解決方法表示領域６０を常に確保しておく必要が無いので、警報情報を表示するために、より広い領域を確保できる。
【０１３１】
重要度リスト及び送信元分類リストの内容を図７の警報一覧画面７２に示したが、この警報一覧画面７２はあくまで各リストの内容をわかり易く表示するためのものであり、重要度リスト記憶部３３及び送信元分類リスト記憶部３２に記憶されている情報のデータ構造を表示しているわけではない。また、本明細書において、重要度リスト記憶部３３及び送信元分類リスト記憶部３２の記憶内容について「リスト」と言ったときは、例えば連結リストなどの特定のデータ構造を指しているわけではなく、単に、複数の情報が対応付けられて記憶されているという程度の意味である。重要度リスト記憶部３３及び送信元分類リスト記憶部３２に記憶される情報のデータ構造は、特に限定されず、どのようなデータ構造であっても良い。
【０１３２】
本発明に係る警報表示装置は、船舶に限らず、例えば飛行機などの他の移動体に設置しても良い。
【符号の説明】
【０１３３】
１  ＮＩＳ（統合航海システム）
１０  情報表示装置（警報表示装置）
２１  表示装置
３０  警報情報取得部
３１  記憶部
３２  送信元分類リスト記憶部
３３  重要度リスト記憶部
３４  表示対象指定部
３５  情報選択部
３６  警報情報表示部
５０  警報情報リスト画面
６５  表示対象指定チェックボックス群（表示対象指定インタフェース）
【図１】
0005960247.tif 000002
【図２】
0005960247.tif 000003
【図３】
0005960247.tif 000004
【図４】
0005960247.tif 000005
【図５】
0005960247.tif 000006
【図６】
0005960247.tif 000007
【図７】
0005960247.tif 000008
【図８】
0005960247.tif 000009